(57)【要約】【課題】  光ファイバリングの一部に印加された物理的外力とその位置を同定し、且つ光ファイバリングの切断と切断位置を検出する。【解決手段】  光ファイバ侵入監視装置１は、波長が異なる２つの光源９，２５と、この２つの光源９，２５に対応して光ファイバの干渉光を検出する２種類の受光部１３，２９とを備えた光ファイバ振動センサ検出装置４９と、この光ファイバ振動センサ検出装置４９の各光源９，２５と各受光部９，２５に接続される第１分岐結合器５１と、この第１分岐結合器５１に一端側を接続した光ファイバリング干渉型の振動センサ２３、２９を構成する振動センサ用光ケーブル６９と、この振動センサ用光ケーブル６９の他端側に接続した第２分岐結合器５３と、から構成され、前記振動センサ用光ケーブル６９に、ケーブル切断検出用光ファイバ７を収容している。【選択図】  図１
2007226440.tif 000002
【特許請求の範囲】
【請求項１】
光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置において、
前記振動センサ用光ケーブルに収容されるケーブル切断検出用光ファイバを備えていることを特徴とする光ファイバ侵入監視装置。
【請求項２】
波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置において、
前記振動センサ用光ケーブルに収容されるケーブル切断検出用光ファイバを備えていることを特徴とする光ファイバ侵入監視装置。
【請求項３】
前記ケーブル切断検出用光ファイバの一端側がその切断並びに切断箇所までの距離を測定するＯＴＤＲに接続されていることを特徴とする請求項１又は２記載の光ファイバ侵入監視装置。
【請求項４】
前記ケーブル切断検出用光ファイバの曲げ損失レベルを、前記光ファイバリング干渉型の振動センサの曲げ損失レベルよりも大きくしたことを特徴とする請求項１、２又は３記載の光ファイバ侵入監視装置。
【請求項５】
前記ケーブル切断検出用光ファイバが、振動センサ用光ケーブルにおいて前記光ファイバリング干渉型の振動センサよりも外周側に配置されていることを特徴とする請求項１、２、３又は４記載の光ファイバ侵入監視装置。
【請求項６】
前記ケーブル切断検出用光ファイバが複数本であることを特徴とする請求項１〜５のいずれかに記載の光ファイバ侵入監視装置。
【発明の詳細な説明】
【技術分野】
【０００１】
この発明は、光ファイバ侵入監視装置に関し、特に光ファイバリングの一部に物理的外力が印加された場合にその外力の検出と外力が印加された位置を同定すると共に光ファイバリングが切断あるいは曲げられた場合に前記切断や切断位置、あるいは曲げ変化や曲げ位置を検出する光ファイバ侵入監視装置に関する。
【背景技術】
【０００２】
近年、侵入者からの防犯、道路や鉄道での落石検出手段として可能な光ファイバとレーザ光を応用した干渉型センサが提案されている。たとえば振動等の物理的外力（力学的刺激）により光ファイバケーブルの一部が応力を受けたために、伝搬する光の光路長が変化して位相等の物理的性質が変化することを利用した外力刺激の検出装置が知られている。
【０００３】
図５を参照するに、例えば、非特許文献１に示されているように、光ファイバリング干渉型の振動センサ１０１が知られている。この光ファイバリング干渉型の振動センサ１０１の利点としては、（１）光ファイバに伝わった振動・衝撃をリアルタイムに観測できる。（２）センサ部は一般の光ファイバケーブルを使用でき、特殊なセンサ部を必要としない。（３）光源や受光回路以外は、すべて受動光学素子で構成されるため、センサ区間近傍で電源や避雷・防爆の対策が不要である、などがあげられる。このとき、上記の光ファイバリング干渉型の振動センサ１０１により、振動が加わっている位置を知る必要がある。
【０００４】
そこで、従来の光ファイバリング干渉型の振動センサ１０１は、図５に示されているように、第１干渉型振動センサ１０３と第２干渉型振動センサ１０５とを用いて、各第１，第２干渉型振動センサ１０３，１０５に入力された互いに異なる波長の光が振動によって生じた各干渉光強度を検出して比較することで振動位置、振動レベル等の振動特性を同定するものである。
【０００５】
すなわち、第１干渉型振動センサ１０３は、１．３１μｍの波長帯の光を発生する第１光源１０７に接続される第１ポート１０９と、フォトダイオード（ＰＤ）からなる第１受光部１１１に接続される第２ポート１１３との少なくとも２つのポート（図５では３つのポート）から、少なくとも２つの第３、第４ポート１１５，１１７に分岐する第１分岐光カプラ１１９と、この第１分岐光カプラ１１９に光学的に接続する第１光ファイバリング１２１と、から構成されている。なお、前記第１光ファイバリング１２１は、その一端が前記第３ポート１１５に接続されていると共にその他端が前記第４ポート１１７に接続されている。
【０００６】
また、第２干渉型振動センサ１０５は、前記第１光源１０７と異なる１．５５μｍの波長帯の光を発生する第２光源１２３に接続される第５ポート１２５と、フォトダイオード（ＰＤ）からなる第２受光部１２７に接続される第６ポート１２９との少なくとも２つのポート（図５では３つのポート）から、少なくとも２つの第７，第８ポート１３１，１３３に分岐する第２分岐光カプラ１３５と、この第２分岐光カプラ１３５に光学的に接続する第２光ファイバリング１３７と、から構成されている。なお、前記第２光ファイバリング１３７は、その一端が前記第７ポート１３１に接続されていると共にその他端が前記第８ポート１３３に接続されている。
【０００７】
さらに、前記第１，第２干渉型振動センサ１０３，１０５は、前記第１光ファイバリング１２１の全長の中点Ｘ１と前記第２光ファイバリング１３７の全長の中点Ｘ２が互いに反対側に位置すべく前記第１，第２光ファイバリング１２１，１３７を対称的に配置し、且つ前記第１，第２光ファイバリング１２１，１３７の前記各中点Ｘ１，Ｘ２を除く部分の光ファイバを４つのＷＤＭカプラの第３分岐光カプラ１３９により分岐して１．３μｍ帯と１．５５μｍ帯の両波長帯にて共有する２本の光ファイバリング部１４１に構成されている。
【０００８】
したがって、前記第１干渉型振動センサ１０３では、前記第１光源１０７から入力された１．３１μｍの波長帯の伝搬光が第１分岐光カプラ１１９の第１ポート１０９から第３、第４ポート１１５，１１７に分岐されて時計回り（Clock Wise：ＣＷ）光と反時計回り（Counter Clock Wise：ＣＣＷ）光に分岐され、図５の実線で示されているようにそれぞれ第１光ファイバリング１２１を一周する。各ＣＷ光とＣＣＷ光が再び第１分岐光カプラ１１９で合波され、第１受光部１１１ではその干渉光が検出される。
【０００９】
このとき、第１光ファイバリング１２１内、すなわち光ファイバリング部１４１に振動・衝撃が加えられると、光ファイバに屈折率変化が生じる。このとき、第１受光部１１１ではこの現象が振動によって位相変調されたＣＷ光とＣＣＷ光の干渉光の強度変化として検出される。
【００１０】
一方、前記第２干渉型振動センサ１０５では、上述した第１干渉型振動センサ１０３とほぼ同様であり、前記第２光源１２３から入力された１．５５μｍの波長帯の伝搬光が第２分岐光カプラ１３５によりＣＷ光とＣＣＷ光に分岐されて図５の点線で示されているようにそれぞれ第２光ファイバリング１３７を一周する。各ＣＷ光とＣＣＷ光が再び第２分岐光カプラ１３５で合波され、第２受光部１２７でその干渉光が検出される。第２光ファイバリング１３７内、すなわち光ファイバリング部１４１に加えられた振動によって位相変調されたＣＷ光とＣＣＷ光の干渉光の強度変化が検出される。
【００１１】
さらに、上記の第１，第２干渉型振動センサ１０３，１０５の干渉光の強度変化を比較することで加振点の振動位置、振動レベル等の振動特性が同定される。
【００１２】
したがって、上記の光ファイバリング部１４１は例えば１つの振動センサ用光ケーブル内に収容されることにより、この振動センサ用光ケーブルの長さＬを長くして、例えばフェンスなどの数ｋｍ〜数十ｋｍの全長に亘って延長させることにより、侵入者が前記フェンスから侵入するときに生じる加振点の振動位置や振動レベルを検出することができる。
【非特許文献１】フジクラ技報第１０３号（２００２年１０月）
【発明の開示】
【発明が解決しようとする課題】
【００１３】
ところで、従来の光ファイバリング干渉型の振動センサ１０１においては、侵入者又は飛来物などによる振動・衝撃や振動位置を同定することができるが、侵入者又は飛来物などにより振動センサ用光ケーブルが振動・衝撃を検出できない程度で切断された場合は、前記振動センサ用光ケーブルの第１，第２光ファイバリング１２１，１３７のみでは検出できない可能性があるという問題点があった。
【００１４】
また、前記振動センサ用光ケーブルが断線に至らなくても、第１，第２光ファイバリング１２１，１３７がロス増するレベルの衝撃を確実に検出することができない可能性がある。例えば、振動センサ用光ケーブルが断線されずに、振動・衝撃を検出できない程度に曲げられて侵入される可能性があるという問題点があった。
【００１５】
この発明は上述の課題を解決するためになされたものである。
【課題を解決するための手段】
【００１６】
上記発明が解決しようとする課題を達成するために、この発明の光ファイバ侵入監視装置は、光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置において、
前記振動センサ用光ケーブルに収容されるケーブル切断検出用光ファイバを備えていることを特徴とするものである。
【００１７】
この発明の光ファイバ侵入監視装置は、波長が異なる２つの光源と、この２つの光源に対応して光ファイバの干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置において、
前記振動センサ用光ケーブルに収容されるケーブル切断検出用光ファイバを備えていることを特徴とするものである。
【００１８】
また、この発明の光ファイバ侵入監視装置は、前記光ファイバ侵入監視装置において、前記ケーブル切断検出用光ファイバの一端側がその切断並びに切断箇所までの距離を測定するＯＴＤＲに接続されていることが好ましい。
【００１９】
また、この発明の光ファイバ侵入監視装置は、前記光ファイバ侵入監視装置において、前記ケーブル切断検出用光ファイバの曲げ損失レベルを、前記光ファイバリング干渉型の振動センサの曲げ損失レベルよりも大きくしたことが好ましい。
【００２０】
また、この発明の光ファイバ侵入監視装置は、前記光ファイバ侵入監視装置において、前記ケーブル切断検出用光ファイバが、振動センサ用光ケーブルにおいて前記光ファイバリング干渉型の振動センサよりも外周側に配置されていることが好ましい。
【００２１】
また、この発明の光ファイバ侵入監視装置は、前記光ファイバ侵入監視装置において、前記ケーブル切断検出用光ファイバが複数本であることが好ましい。
【発明の効果】
【００２２】
以上のごとき課題を解決するための手段から理解されるように、この発明によれば、振動センサ用光ケーブルが例えばフェンス等の監視用構造部材に配線して布設され、侵入者が前記フェンスから侵入するときに生じる加振点の振動を前記振動センサ用光ケーブル内の光ファイバリング干渉型の振動センサで、光が前記振動によって位相変調された干渉光の強度変化を検出して振動特性を同定できると共に、侵入者又は飛来物などにより振動センサ用光ケーブルが切断された場合にその切断と切断位置をケーブル切断検出用光ファイバで確実に検出することができる。
【００２３】
また、この発明によれば、振動センサ用光ケーブルが例えばフェンス等の監視用構造部材に配線して布設され、侵入者が前記フェンスから侵入するときに生じる加振点の振動を前記振動センサ用光ケーブル内の光ファイバリング干渉型の振動センサで、互いに波長の異なる光が前記振動によって位相変調された２つの干渉光の強度変化を検出して比較することで前記加振点の振動位置や振動レベル等の振動特性を同定できると共に、侵入者又は飛来物などにより振動センサ用光ケーブルが切断された場合にその切断と切断位置をケーブル切断検出用光ファイバで確実に検出することができる。
【発明を実施するための最良の形態】
【００２４】
以下、この発明の実施の形態について図面を参照して説明する。
【００２５】
図１及び図２（Ａ）〜（Ｃ）を参照するに、この実施の形態に係る光ファイバ侵入監視装置１としては、図１に示されているように、第１干渉型振動センサ３と第２干渉型振動センサ５とを用いて、各第１，第２干渉型振動センサ３，５に入力された互いに異なる波長の光が振動によって生じた各干渉光強度を検出して比較することで加振点の振動位置、振動レベル等の振動特性を同定すると共に、ケーブル切断検出用光ファイバ７を用いて、侵入者又は飛来物などによりケーブル切断検出用光ファイバ７が切断あるいは曲げられた場合にその切断と切断位置を検出するものである。
【００２６】
上記の第１干渉型振動センサ３は、１．３１μｍの波長帯の光を発生する第１光源９に接続される第１ポート１１と、フォトダイオード（ＰＤ）からなる第１受光部１３に接続される第２ポート１５との少なくとも２つのポート（図１では３つのポート）から、少なくとも２つの第３，第４ポート１７，１９に分岐する第１分岐光カプラ２１と、この第１分岐光カプラ２１に光学的に接続する第１光ファイバリング２３と、から構成されている。なお、前記第１光ファイバリング２３は、その一端が前記第３ポート１７に接続されていると共にその他端が前記第４ポート１９に接続されている。
【００２７】
また、第２干渉型振動センサ５は、前記第１光源９と異なる１．５５μｍの波長帯の光を発生する第２光源２５に接続される第５ポート２７と、フォトダイオード（ＰＤ）からなる第２受光部２９に接続される第６ポート３１との少なくとも２つのポート（図１では４つのポート）から、少なくとも２つの第７，第８ポート３３，３５に分岐する第２分岐光カプラ３７と、この第２分岐光カプラ３７に光学的に接続する第２光ファイバリング３９と、から構成されている。なお、前記第２光ファイバリング３９は、その一端が前記第７ポート３３に接続されていると共にその他端が前記第８ポート３５に接続されている。
【００２８】
なお、この実施の形態では、上記の第１，第２分岐光カプラ２１，３７にはそれぞれ３×３カプラが用いられている。
【００２９】
さらに、前記第１，第２干渉型振動センサ３，５は、前記第１光ファイバリング２３の全長の中点Ｘ１と前記第２光ファイバリング３９の全長の中点Ｘ２が互いに反対側に位置すべく前記第１，第２光ファイバリング２３，３９を対称的に配置し、且つ前記第１，第２光ファイバリング２３，３９の前記各中点Ｘ１，Ｘ２を除く部分の光ファイバを４つのＷＤＭカプラの第３分岐光カプラ４１により分岐して１．３μｍ帯と１．５５μｍ帯の両波長帯にて共有する２本の光ファイバリング部４３に構成されている。
【００３０】
したがって、前記第１干渉型振動センサ３では、前記第１光源９から入力された１．３μｍの波長帯の伝搬光が第１分岐光カプラ２１の第１ポート１１から第３，第４ポート１７，１９に分岐されて時計回り（Clock Wise：ＣＷ）光と反時計回り（Counter Clock Wise：ＣＣＷ）光に分岐され、図１の実線で示されているようにそれぞれ第１光ファイバリング２３を一周する。各ＣＷ光とＣＣＷ光が再び第１分岐光カプラ２１で合波され、第１受光部１３ではその干渉光が検出される。このとき、振動・衝撃が加えられていない静的な状態であれば、ＣＷ光とＣＣＷ光の第１光ファイバリング２３内の光路長は同じであるから、両者の位相差は一定となり、前記第１受光部１３によって検出される信号は一定となる。
【００３１】
ところが、第１光ファイバリング２３内、すなわち光ファイバリング部４３に振動等の物理的外力（力学的刺激）が加えられると、光ファイバに屈折率変化が生じる。このとき、第１受光部１３ではこの現象が振動によって位相変調されたＣＷ光とＣＣＷ光の干渉光の強度変化として検出される。
【００３２】
例えば、時間ｔにおいて加振点にて位相変調が生じた場合、ＣＷ光が加振点から第１受光部１３に到達するまでの時間ＴＣＷと、ＣＣＷ光が加振点から第１受光部１３に到達するまでの時間ＴＣＣＷとすると、第１受光部１３で検出される干渉光の強度は、加わった位相変調と、前記時間ＴＣＷと時間ＴＣＣＷとの間の２つの変数の関数で与えられることになる。なお、この詳細は非特許文献１で示されているので、その説明は省略する。
【００３３】
一方、前記第２干渉型振動センサ５では、上述した第１干渉型振動センサ３とほぼ同様であり、前記第２光源２５から入力された１．５５μｍの波長帯の伝搬光が第２分岐光カプラ３７によりＣＷ光とＣＣＷ光に分岐されて図１の点線で示されているようにそれぞれ第２光ファイバリング３９を一周する。各ＣＷ光とＣＣＷ光が再び第２分岐光カプラ３７で合波され、第２受光部２９でその干渉光が検出される。第２光ファイバリング３９内、すなわち光ファイバリング部４３に加えられた振動によって位相変調されたＣＷ光とＣＣＷ光の干渉光の強度変化が検出される。
【００３４】
このとき、加振点から第１，第２受光部１３，２９に到達するまでの光の時間に対して振動による位相変化が十分遅く変化する場合、１．３μｍ帯、１．５５μｍ帯でそれぞれ生じる位相差Δφ１．３及びΔφ１．５５を算出することができ、加振点までの距離は、１．３μｍ帯、１．５５μｍ帯でそれぞれ生じる位相差Δφ１．３とΔφ１．５５の比により算出することができる。
【００３５】
以上のように、第１干渉型振動センサ３によって前記第１光源９から入力された１．３μｍ帯の光が振動によって位相変調された干渉光の強度変化と、第２干渉型振動センサ５によって前記第２光源２５から入力された１．５５μｍ帯の光が振動によって位相変調された干渉光の強度変化とを検出して比較することで、光ファイバリング部４３の一部に振動などの物理的外力が印加された加振点の振動位置や振動レベル等の振動特性を同定することができる。
【００３６】
次に、この発明の実施の形態の主要部を構成するケーブル切断検出用光ファイバ７について詳しく説明する。
【００３７】
ケーブル切断検出用光ファイバ７は、第１，第２光ファイバリング２３，３９に縦添えして複合されている。すなわち、前記ケーブル切断検出用光ファイバ７の図１において左側の一端が前記ケーブル切断検出用光ファイバ７の切断並びに切断箇所までの距離を測定する光計測器としての例えばＯＴＤＲ（Ｏｐｉｔｉｃａｌ  Ｔｉｍｅ  Ｄｏｍａｉｎ  Ｒｅｆｅｃｔｏｍｅｔｅｒ）４７が接続されていると共に前記ケーブル切断検出用光ファイバ７の図１において右側の他端が開放されている。
【００３８】
なお、この実施の形態では、上述したようにＯＴＤＲ４７が光計測器として用いているが、一般的に光計測器として用いられている光パワーメータが用いられても良い。しかし、光パワーメータは、反対側機器や電源を必要とするので、上述したＯＴＤＲ４７の方が望ましい。
【００３９】
図１及び図２（Ａ）〜（Ｃ）を併せて参照するに、第１光源９、第１受光部１３、第２光源２５、第２受光部２９は光ファイバ振動センサ検出装置としての例えば振動検出器本体４９内に収容されている。第１分岐光カプラ２１は第１分岐結合器５１内に収容されている。第２分岐光カプラ３７は第２分岐結合器５３内に収容されている。
【００４０】
また、第１光源９及び第１受光部１３から第１分岐光カプラ２１までの間はそれぞれ第１光ファイバ５５（図１では３心）で接続されており、第２光源２５及び第２受光部２９から第２分岐光カプラ３７までの間はそれぞれ第２光ファイバ５７（図１では３心）で接続されている。
【００４１】
したがって、振動検出器本体４９と第１分岐結合器５１との間は、第１，第２光ファイバ５５，５７（６心）とケーブル切断検出用光ファイバ７（１心）で合計７心が、図２（Ｂ）に示されているように、例えば１本のテンションメンバ５９に縦添えされると共にその全外周を外被６１でシースして構成されたアプローチ用光ケーブル６３で接続されている。
【００４２】
また、第１分岐結合器５１と第２分岐結合器５３との間は、第２光ファイバ５７（３心）と第１，第２光ファイバリング２３，３９の共有部分の光ファイバリング部４３（２心）とケーブル切断検出用光ファイバ７（１心）で合計６心が、図２（Ｃ）に示されているように、例えば１本のテンションメンバ６５に縦添えされると共にその全外周を外被６７でシースして構成された振動センサ用光ケーブル６９で接続されている。
【００４３】
上記構成により、この実施の形態に係る光ファイバ侵入監視装置１では、上記の振動センサ用光ケーブル６９がその長さＬを任意に長くして、例えば監視区間に張り巡らしたフェンス７１などの監視用構造部材に数ｋｍ〜数十ｋｍの全長に亘って延長させることにより、侵入者が前記フェンス７１から侵入するときに生じる振動センサ用光ケーブル６９の加振点の振動位置（加振点までの距離）や振動レベルが第１，第２光ファイバリング２３，３９の光ファイバリング部４３で検出できると共に、侵入者又は飛来物などにより振動センサ用光ケーブル６９が切断された場合に、その切断と切断位置がケーブル切断検出用光ファイバ７で確実に検出できる。
【００４４】
なお、上記のケーブル切断検出用光ファイバ７は、その曲げ損失レベルが前記第１，第２光ファイバリング２３，３９の特に光ファイバリング部４３の曲げ損失レベルよりも大きいことが望ましい。この場合、例えば、振動センサ用光ケーブル６９が切断されずに、第１，第２光ファイバリング２３，３９がロス増するレベルの振動・衝撃を検出できない程度に曲げられて侵入された場合であっても、図３に示されているように、ケーブル切断検出用光ファイバ７の曲げ損失レベルは第１，第２光ファイバリング２３，３９の曲げ損失レベルよりも大きく変化するので、ケーブル切断検出用光ファイバ７によりその曲げと曲げ位置を確実に検出できる。
【００４５】
また、上記のケーブル切断検出用光ファイバ７は、図４（Ａ）に示されているように、振動センサ用光ケーブル６９において前記第１，第２光ファイバリング２３，３９の特に光ファイバリング部４３よりも外周側に配置されていることが望ましい。これにより、振動センサ用光ケーブル６９は前記光ファイバリング部４３より損傷を受けやすくなる。すなわち、振動センサ用光ケーブル６９が飛来物などで損傷を受けた場合、光ファイバリング部４３のみが損傷してもケーブル切断検出用光ファイバ７が損傷しないと、振動センサ用光ケーブル６９の切断あるいは曲げを確実に検出できなくなるという事態を防止できる。
【００４６】
さらに、上記の振動センサ用光ケーブル６９は、図４（Ｂ）に示されているように、複数本（図では４本）のケーブル切断検出用光ファイバ７が前記光ファイバリング部４３よりも外周側に配置されていることが望ましい。これにより、振動センサ用光ケーブル６９による切断あるいは曲げがより一層確実に検出できる。なお、ケーブル切断検出用光ファイバ７が複数本である場合は、必ずしも前記光ファイバリング部４３より外周側に配置されていなくても、その本数が多くなるほど切断あるいは曲げを確実に検出できる。
【００４７】
なお、前述した実施の形態の光ファイバ侵入監視装置１では、第１，第２干渉型振動センサ３，５とケーブル切断検出用光ファイバ７を備えている場合について説明したが、単に第１干渉型振動センサ３のみとケーブル切断検出用光ファイバ７を有する場合にも適用可能である。
【００４８】
すなわち、この場合の光ファイバ侵入監視装置１光ファイバリング干渉型の振動センサでは、第１干渉型振動センサ３が第１光源９と第１受光部１３と第１分岐光カプラ２１と第１光ファイバリング２３とから構成され、この第１光ファイバリング２３にケーブル切断検出用光ファイバ７を縦添えして複合した振動センサ用光ケーブルを構成すると共に、前記ケーブル切断検出用光ファイバ７の一端が前記第１光ファイバリング２３の全長の中点Ｘ１側に、分岐光カプラを介して光学的に接続して構成されるものである。この分岐光カプラは、前述した第２分岐光カプラ３７と同様であっても良いが、前記第２分岐光カプラ３７における第７ポート３３と第９ポート４５だけを備えたものであっても、他の構成であっても良い。
【００４９】
したがって、この場合でも、侵入者が前記フェンス７１から侵入するときに生じる振動等の物理的外力が第１光ファイバリング２３で検出できると共に、侵入者又は飛来物などにより振動センサ用光ケーブル６９が切断あるいは曲げられた場合に、その切断と切断位置、あるいは曲げと曲げ位置を確実に検出できる。つまり、第１光ファイバリング２３のみによる場合は、前述した第１，第２干渉型振動センサ３，５による場合に検出される振動特性と異なるが、ケーブル切断検出用光ファイバ７に係わる効果は前述した実施の形態の説明と同様である。
【図面の簡単な説明】
【００５０】
【図１】この発明の実施の形態に係る光ファイバ侵入監視装置を概略的に示す回路図である。
【図２】（Ａ）は、この発明の実施の形態に係る光ファイバ侵入監視装置の振動センサを概略的に示す斜視図で、（Ｂ）は（Ａ）の矢視ＩＩＢ−ＩＩＢ線の断面図で、（Ｃ）は（Ａ）の矢視ＩＩＣ−ＩＩＣ線の断面図である。
【図３】この発明の他の実施の形態におけるケーブル切断検出用光ファイバのロス損失レベルの変化を示すグラフである。
【図４】（Ａ）は図２（Ｃ）に変わる他の実施の形態を示す断面図で、（Ｂ）は図２（Ｃ）に変わる他の実施の形態を示す断面図である。
【図５】従来の光ファイバリング干渉型の振動センサを概略的に示す回路図である。
【符号の説明】
【００５１】
１  光ファイバ侵入監視装置
３  第１干渉型振動センサ
５  第２干渉型振動センサ
７  ケーブル切断検出用光ファイバ
９  第１光源
１１  第１ポート
１３  第１受光部
１５  第２ポート
１７  第３ポート
１９  第４ポート
２１  第１分岐光カプラ
２３  第１光ファイバリング
２５  第２光源
２７  第５ポート
２９  第２受光部
３１  第６ポート
３３  第７ポート
３５  第８ポート
３７  第２分岐光カプラ
３９  第２光ファイバリング
４１  第３分岐光カプラ
４３  光ファイバリング部
４７  ＯＴＤＲ（光計測器）
４９  振動検出器本体（光ファイバ振動センサ検出装置）
５１  第１分岐結合器
５３  第２分岐結合器
６３  アプローチ用光ケーブル
６９  振動センサ用光ケーブル
７１  フェンス
Ｘ１  第１光ファイバリングの中点
Ｘ２  第２光ファイバリングの中点
【図１】
2007226440.tif 000003
【図２】
2007226440.tif 000004
【図３】
2007226440.tif 000005
【図４】
2007226440.tif 000006
【図５】
2007226440.tif 000007